(57)【特許請求の範囲】
【請求項１】
一連のブランクシートから直方体状に組み立てられ、一列に並んだ四側板並びに天板及び底板に囲まれた箱本体と、前記箱本体の内部定位置に内容物を保持し当該箱本体の内面と内容物との間に緩衝空間を形成する保持枠を備える包装用箱であって、
前記保持枠は、
前記四側板に続いて延設され前記保持枠が構成する保持部の第一辺を位置決めする迫出し板と、
前記迫出し板に続いて延設され当該迫出し板の裏面側へ直角に屈曲し前記第一辺を構成する第一仕切板と、
前記第一仕切板に続いて延設され前記第一辺と向合する第二辺を位置決めする戻り板と、
前記戻り板に続いて延設され当該戻り板の裏面側へ直角に屈曲し前記第二辺を構成すると共に、前記保持部の第三辺を位置決めする第二仕切板と、
前記第二仕切板に続いて延設され当該第二仕切板の裏面側へ直角に屈曲し前記第三辺を構成する第三仕切板と、
前記第三仕切板に続いて延設され当該第三仕切板の表面側へ直角に屈曲し前記第一仕切板に定着する第一固定板と、
前記第一仕切板の縁部に続いて延設され当該第一仕切板の裏面側に折重ねられ前記第三仕切板と向合する前記保持部の第四辺をその上部で位置決めし、前記保持部の底をその下部で位置決めする第二固定板と、
前記四側板の並びに沿い前記第二固定板の前記上部及び下部に続いて前記保持部の奥行きと同じ長さで平行に延設され当該第二固定板の表面側へ直角に屈曲しそれぞれ前記保持部の第四辺及び底を構成する前記第四仕切板及び前記底支持板と、
前記第四仕切板及び前記底支持板に続いて延設され当該第四仕切板及び前記底支持板の表面側へ直角に屈曲し前記第二仕切板に定着する第三固定板を備えることを特徴とする包装用箱。
【請求項２】
前記保持枠は、前記第二仕切板に続いて延設され前記迫出し板に定着する第五固定板を備えることを特徴とする前記請求項１に記載の包装用箱。
【請求項３】
前記四側板のいずれかの上部に開封時に指を挿入する貫入口を設けると共に、当該側板に対向する最寄りの仕切板の高さを内容物が覆われる寸法以上に設定したことを特徴とする前記請求項１又は請求項２のいずれかに記載の包装用箱。
【請求項４】
直方体状の箱本体を形作るべく一列に配置された四側板並びにその列の側方に延出する天板及び底板を具備する箱部と、前記箱本体の内部定位置に内容物を保持する保持部を形成すべく前記四側板の並びに連続する枠部を一連に備える包装用箱のブランクシートであって、
前記枠部は、前記箱部に続いて一列に連続する主枠部と当該主枠部と平行に連続する副枠部からなり、
前記主枠部は、
前記四側板の終端に続いて延設されその延出長が組み立て後における前記保持部の隣接側板からの迫出し長に設定された迫出し板と、
前記迫出し板に続いて延設されその延出長が組み立て後に対向する側板の幅と等しく設定された第一仕切板と、
前記第一仕切板に続いて延設されその延出長が前記保持部の奥行きと等しく設定された戻り板と、
前記戻り板に続いて延設されその延出長が組み立て後における前記戻り板からの振れ幅に設定された第二仕切板と、
前記第二仕切板に続いて延設されその延出長が前記保持部の奥行きと等しく設定された第三仕切板と、
前記第三仕切板に続いて延設され前記第一仕切板に対して定着される第一固定板を備え、
前記副枠部は、
前記第一仕切板の迫出し板寄りの縁部に続いて当該第一仕切板に並んで延設された第二固定板と、
前記第二固定板の延長上の前記戻り板の側方に配置された第三固定板と、
前記第二固定板と前記第三固定板の間に前記保持部の奥行きと等しい長さで前記第一仕切板に並んで平行に架設された第四支持板及び底支持部を備え、
前記底支持板は前記第四仕切板に対して前記保持部の幅未満の範囲で前記箱部寄りにずれた配置となっていることを特長とする包装用箱のブランクシート。
【請求項５】
直方体状の箱本体を形作るべく一列に配置された四側板並びにその列の側方に延出する天板及び底板を具備する箱部と、前記箱本体の内部定位置に内容物を保持する保持部を形成すべく前記四側板の並びに連続する枠部を一連に備える包装用箱のブランクシートであって、
前記枠部は、前記箱部に続いて一列に連続する主枠部と当該主枠部と平行に連続する副枠部からなり、
前記主枠部は、
前記四側板の終端に続いて延設されその延出長が組み立て後における前記保持部の隣接側板からの迫出し長に設定された迫出し板と、
前記迫出し板に続いて延設されその延出長が組み立て後に対向する側板の幅と等しく設定された第一仕切板と、
前記第一仕切板に続いて延設されその延出長が前記保持部の奥行きと等しく設定された戻り板と、
前記戻り板に続いて延設されその延出長が組み立て後における前記戻り板からの振れ幅に設定された振れ幅部および前記第一仕切板の幅と等しく設定された箱幅部を一体的に有する第二仕切板と、
前記第二仕切板の振れ幅部に続いて延設されその延出長が前記保持部の奥行きと等しく設定された第三仕切板と、
前記第三仕切板に続いて延設され前記第一仕切板に対して定着される第一固定板と、
前記第二仕切板の箱幅部に続いて延設され前記迫出し板に定着される第五固定板を備え、
前記副枠部は、
前記第一仕切板の迫出し板寄りの縁部に続いて当該第一仕切板に並んで延設された第二固定板と、
前記第二固定板の延長上の前記戻り板の側方に配置された第三固定板と、
前記第二固定板と前記第三固定板の間に前記保持部の奥行きと等しい長さで前記第一仕切板に並んで平行に架設された第四支持板及び底支持部を備え、
前記底支持板は前記第四仕切板に対して前記保持部の幅未満の範囲で前記箱部寄りにずれた配置となっていることを特長とする包装用箱のブランクシート。
【請求項６】
前記四側板のいずれかの上部に開封時に指を挿入する貫入口を設けると共に、当該側板に対向する最寄りの仕切板の高さを内容物が覆われる寸法以上に設定したことを特徴とする前記請求項４又は請求項５のいずれかに記載の包装用箱のブランクシート。
【発明の詳細な説明】
【技術分野】
【０００１】
本発明は、商品を包装すると共に、包装した商品を保護するための緩衝機能を一体的に備える包装用箱及びそのブランクシートに関する。
【背景技術】
【０００２】
今日、包装用箱の分野のなかでも、例えば液状の医薬品等が入れられたアンプルなどの破損し易い内容物を収容する包装用箱の分野では、内容器を衝撃から保護し当該内容器の破損及び内容物の流出を回避する緩衝機能を有することが望まれている。
【０００３】
これまで、包装用箱の内部に緩衝空間を形成する支持材を収容する手法（例えば下記特許文献１参照）や、包装用箱自体にその内部に緩衝空間を形成する要素を一体的に設け、更に、内容器を保持する支持材を装填する手法（例えば下記特許文献２又は特許文献３参照）が種々紹介されている。
なかには、包装用箱を一連のブランクシートから組み上げる構成を採用し、当該ブランクシートのレイアウト及び折曲げ方を工夫することによって、包装用箱自体に支持構造及び緩衝空間を一体的に設ける手法（例えば下記特許文献４又は特許文献５参照）が存在し、更に、その緩衝空間を形成するスペーサに弾性を与えた例（例えば下記特許文献６参照）も紹介されている。
【先行技術文献】
【特許文献】
【０００４】
【特許文献１】実用新案公報第３１７５０２３号公報
【特許文献２】特開２０１２−９１７９６号公報
【特許文献３】特許第５１６３９５１号公報
【特許文献４】特許第５４８４７５４号公報
【特許文献５】特許第４９９１９１９号公報
【特許文献６】特許第５３７７１８１号公報
【発明の概要】
【発明が解決しようとする課題】
【０００５】
しかしながら、前記特許文献１乃至特許文献３に記載の技術は、複数の部材を形作るブランクシート各々について、裁断工程及び組立工程が必要となる他、包装用箱の内部に支持材などを装填する作業を伴い、包装用箱の製造から内容器の装填に至るまでの工程が複雑化すると言う問題がある。
前記特許文献４乃至特許文献６に記載の技術は、複数の部材を組み立てる必要はないものの、当該一個の部材に対する組立作業自体が複雑であるために、包装用箱の製造から内容器の装填に至るまでの工程に、人手による作業を介在させざるを得ないという問題がある。
【０００６】
一方、極めて高価な薬品を収容する場合にあっては、各内容器を確実に保持することが求められ、或いは、感染が投与される者にとって生死に関わるなど極めて脅威となる場合には、開封時に容器の開封口に指先が接触することを極力避け、更には、包装用箱の組み立て時においても、容器を直接保持する部分に作業員の指先が接触することを極力避けるなど、内容物の汚染防止の徹底が要求される場合もある。
【０００７】
本発明は、上記実情に鑑みて為されたものであって、一連のブランクシートから組み上げられ、仕切機能を一体的に備える包装用箱であって、複数方向へ向けての緩衝機能を具備し、組立作業時、開封時及び内容物の取り出し時における内容物及びそれに直接接する容器内部の汚染を回避し得る構造を適宜持つ包装用箱及びそのブランクシートの提供を目的とする。
【課題を解決するための手段】
【０００８】
上記課題を解決すべく為された本発明による包装用箱は、一連のブランクシートから直方体状に組み立てられ、一列に並んだ四側板並びに天板及び底板に囲まれた箱本体と、前記箱本体の内部において定位置に内容物を支持し当該箱本体の内面と内容物との間に緩衝空間を形成する保持枠を備える包装用箱である。
【０００９】
前記保持枠は、前記四側板に続いて延設され前記保持枠が構成する保持部の第一辺を位置決めする迫出し板と、前記迫出し板に続いて延設され当該迫出し板の裏面側へ直角に屈曲し前記第一辺を構成する第一仕切板と、前記第一仕切板に続いて延設され前記第一辺と向合する第二辺を位置決めする戻り板と、前記戻り板に続いて延設され当該戻り板の裏面側へ直角に屈曲し前記第二辺を構成すると共に、前記保持部の第三辺を位置決めする第二仕切板と、前記第二仕切板に続いて延設され当該第二仕切板の裏面側へ直角に屈曲し前記第三辺を構成する第三仕切板と、前記第三仕切板に続いて延設され当該第三仕切板の表面側へ直角に屈曲し前記第一仕切板に定着する第一固定板と、前記第一仕切板の縁部に続いて延設され当該第一仕切板の裏面側に折重ねられ前記第三仕切板と向合する前記保持部の第四辺をその上部で位置決めし、前記保持部の底をその下部で位置決めする第二固定板と、前記四側板の並びに沿い前記第二固定板の前記上部及び下部に続いて前記保持部の奥行きと同じ長さで平行に延設され当該第二固定板の表面側へ直角に屈曲しそれぞれ前記保持部の第四辺及び底を構成する前記第四仕切板及び前記底支持板と、前記第四仕切板及び前記底支持板に続いて延設され当該第四仕切板及び前記底支持板の表面側へ直角に屈曲し前記第二仕切板に定着する第三固定板を備えることを特徴とする。
前記保持枠は、前記第二仕切板に続いて延設され前記迫出し板に定着する第五固定板を備える構成を採ることもできる。
【００１０】
上記課題を解決すべく為された本発明による包装用箱のブランクシートは、直方体状の箱本体を形作るべく一列に配置された四側板並びにその列の側方に延出する天板及び底板を具備する箱部と、前記箱本体の内部定位置に内容物を保持する保持部を形成すべく前記四側板の並びに連続する枠部を一連に備える包装用箱のブランクシートである。
前記枠部は、前記箱部に続いて一列に連続する主枠部と当該主枠部と平行に連続する副枠部からなる。
【００１１】
前記主枠部は、前記四側板の終端に続いて延設されその延出長が組み立て後における前記保持部の隣接側板からの迫出し長に設定された迫出し板と、前記迫出し板に続いて延設されその延出長が組み立て後に対向する側板の幅と等しく設定された第一仕切板と、前記第一仕切板に続いて延設されその延出長が前記保持部の奥行きと等しく設定された戻り板と、前記戻り板に続いて延設されその延出長が組み立て後における前記戻り板からの振れ幅に設定された第二仕切板と、前記第二仕切板に続いて延設されその延出長が前記保持部の奥行きと等しく設定された第三仕切板と、前記第三仕切板に続いて延設され前記第一仕切板に対して定着される第一固定板を備える。
尚、ここで、前記迫出し長と振れ幅は、それぞれ組み立て後において相互に直交する前後左右方向への寸法である。
即ち、前記迫出し長は、前記迫出し板の幅によって前記保持部が迫出される長さであって、前記振れ幅は、前記第二仕切板の部分幅又は全幅によって前記戻り板から離隔する長さである。
前記隣接側板は、前記迫出し板に隣接する前記側板である。
【００１２】
前記主枠部は、前記四側板の終端に続いて延設されその延出長が組み立て後における前記保持部の隣接側板からの迫出し長に設定された迫出し板と、前記迫出し板に続いて延設されその延出長が組み立て後に対向する側板の幅と等しく設定された第一仕切板と、前記第一仕切板に続いて延設されその延出長が前記保持部の奥行きと等しく設定された戻り板と、前記戻り板に続いて延設されその延出長が組み立て後における前記戻り板からの振れ幅に設定された振れ幅部および前記第一仕切板の幅と等しく設定された箱幅部を一体的に有する第二仕切板と、前記第二仕切板の振れ幅部に続いて延設されその延出長が前記保持部の奥行きと等しく設定された第三仕切板と、前記第三仕切板に続いて延設され前記第一仕切板に対して定着される第一固定板と、前記第二仕切板の箱幅部に続いて延設され前記迫出し板に定着される第五固定板を備える構成とすることもできる。
【００１３】
前記副枠部は、前記第一仕切板の迫出し板寄りの縁部に続いて当該第一仕切板に並んで延設された第二固定板と、前記第二固定板の延長上の前記戻り板の側方に配置された第三固定板と、前記第二固定板と前記第三固定板の間に前記保持部の奥行きと等しい長さで前記第一仕切板に並んで平行に架設された第四支持板及び底支持部を備え、前記底支持板は前記第四仕切板に対して前記保持部の幅未満の範囲で前記箱部寄りにずれた配置となっている。
【００１４】
開封時において指先が接触することなどによる内容物の汚染を防止すべく、前記四側板のいずれかの上部に開封時に指を挿入する貫入口を設けると共に、当該側板に対向する最寄りの仕切板の高さを内容物が覆われる寸法以上に設定した構成とすることができる。
【発明の効果】
【００１５】
本発明による包装用箱及びそのブランクシートによれば、包装用箱を一連のブランクシートから組み上げる構成を採用し、当該ブランクシートのレイアウトに上記の通り工夫がなされたことによって、困難な折曲げ方を強いられることなく、極めて簡単な作業で包装用箱自体に支持構造及び緩衝空間を一体的に設けることができる。
上記の如く内容物が置かれた保持部の全周囲に緩衝空間が形成されることで、極めて高価な薬品を収容する場合にあっても、確実な保存や輸送が可能となる。
【００１６】
前記正面板の上部に開封時に指を挿入する貫入口を設けると共に、前記第一仕切板の高さを、内容物の高さに前記底支持板の幅を加えた寸法以上に設定することによって、開封時に容器の開封口に指先が接触するなど、内容物への感染の原因となる事態を回避することができる。
内容物の汚染防止には、包装用箱の組み立て時において、容器を直接保持する部分に作業員の指先が接触することが回避できる構造を有することも一助となっている。
【図面の簡単な説明】
【００１７】
【図１】本発明による包装用箱の一例を示す斜視図である。
【図２】本発明による包装用箱の一例を示す斜視図である。
【図３】本発明による包装用箱の一例を示す（Ａ）：正面図，（Ｂ）：平面図，（Ｃ）：（Ｂ）のＡ−Ａ矢視断面図，（Ｄ）：（Ｂ）のＢ−Ｂ矢視断面図，（Ｅ）：（Ｂ）のＣ−Ｃ矢視断面図，（Ｆ）：（Ｂ）のＤ−Ｄ矢視断面図，（Ｇ）：（Ａ）のＥ−Ｅ矢視断面図，（Ｈ）：（Ａ）のＦ−Ｆ矢視断面図である。
【図４】本発明による包装用箱の組立工程の一例を示す平面図である。
【図５】本発明による包装用箱の組立工程の一例を示す平面図である。
【図６】本発明による包装用箱の組立工程の一例を示す平面図である。
【図７】本発明による包装用箱の組立工程の一例を示す平面図である。
【図８】本発明による包装用箱の組立工程の一例を示す平面図である。
【図９】本発明による包装用箱のブランクシートの一例を示す平面図である。
【図１０】本発明による包装用箱のブランクシートの一例を示す平面図である。
【図１１】本発明による包装用箱の一例を示す斜視図である。
【図１２】本発明による包装用箱の一例を示す斜視図である。
【図１３】本発明による包装用箱の一例を示す（Ａ）：正面図，（Ｂ）：平面図，（Ｃ）：（Ｂ）のＧ−Ｇ矢視断面図，（Ｄ）：（Ｂ）のＨ−Ｈ矢視断面図，（Ｅ）：（Ｂ）のＩ−Ｉ矢視断面図，（Ｆ）：（Ｂ）のＪ−Ｊ矢視断面図，（Ｇ）：（Ａ）のＫ−Ｋ矢視断面図，（Ｈ）：（Ａ）のＬ−Ｌ矢視断面図である。
【図１４】本発明による包装用箱のブランクシートの一例を示す平面図である。
【図１５】本発明による包装用箱の組立工程の一例を示す平面図である。
【図１６】本発明による包装用箱の組立工程の一例を示す平面図である。
【図１７】本発明による包装用箱の組立工程の一例を示す平面図である。
【図１８】本発明による包装用箱の組立工程の一例を示す平面図である。
【図１９】本発明による包装用箱の組立工程の一例を示す平面図である。
【発明を実施するための形態】
【００１８】
以下、本発明による包装用箱の実施の形態を、そのブランクシートの実施の形態と共に詳細に説明する。
図１に示す例は、一連のブランクシートから直方体状に組み立てられ、一列に並んだ四側板並びに天板及び底板に囲まれた箱本体Ｘと、前記箱本体Ｘの内部において定位置に内容物を保持する保持部Ｓを形成し、且つ当該箱本体Ｘの内面と前記保持部Ｓとの間に緩衝空間Ｃを形成する保持枠Ｙを備える包装用箱である。
【００１９】
前記保持部Ｓは、前記四側面に囲われた内空部の略中央の定位置において四方を仕切られた領域であって、当該保持部Ｓの内側に内容物Ｇを振れなく安定的に保持する領域である。
従って、当該保持部Ｓを仕切る前記第一仕切板２、第二仕切板４、第三仕切板５及び第四仕切板８は、内容物Ｇを安定的に支持するに足りる形態を有していることが求められるが、当該例においては、例えば、内容物Ｇが円筒状の胴部を備えたバイアル瓶であれば、その胴部と同程度の高さを有し、四つの仕切板によって、バイアル瓶の胴部の直径と同程度の一辺を持つ正方形状の平面形状を持った保持部Ｓが設定されている。  
【００２０】
＜ブランクシート＞
図９に示す例は、直方体状の箱本体Ｘを形作るべく一列に配置された四側板並びにその列の上下に延出する単数又は複数の天板及び底板を具備する箱部Ａと、前記箱本体Ｘの内部定位置に内容物を保持する保持部Ｓを形成すべく前記四側板の並びに連続する枠部Ｂを一連に打ち抜いた包装用箱のブランクシートである。
【００２１】
（箱部）
この例のブランクシート（第一のブランクシート）は、前記箱部Ａを構成する前記四側板として、方形状の右側板１１、正面板１２、左側板１３、背面板１４を連続して備える。
【００２２】
この例の箱部Ａを構成する前記右側面１１は、包装用箱として組立てられた際に対向する前記左側面１３と同じ方形状を有し、前記背面板１４は、包装用箱として組立てられた際に対向する前記正面板１２と同じ方形状を有する。
この例では、前記正面板１２は、開封時において指を差し入れて前記天板ごと分断する便宜を図るべく、その上端部を弓状に分断する開封破断線αを備える。
前記開封破断線αは、前記正面板１２の上縁部から当該正面板１２の中央に向けて指先厚の下に凸出する弓状に切り込まれた間欠切込（以下「ミシン目」という）であり、当該開封破断線αに囲まれたエリアに貫入部１２ａを形成する。
【００２３】
（枠部）
前記枠部Ｂは、前記箱部Ａに続いて一列に連続する主枠部Ｂ１及び当該主枠部Ｂ１と平行に連続する副枠部Ｂ２からなる。
【００２４】
前記主枠部Ｂ１は、迫出し板１と、第一仕切板２と、戻り板３と、第二仕切板４と、第三仕切板５と、第一固定板６を前記四側板の終端（この例では背面板１４の終端）に続いて順に連続して備える。
【００２５】
この例における前記迫出し板１は、前記四側板の終端要素たる前記背面板１４に続いて先窄まりの台形状に延設され、その延出長が組み立て後における前記保持部Ｓの隣接側板（この例では背面板１４）からの迫出し長に設定されている。
当該迫出し板１は、当該背面板１４との境界で当該ブランクシートの裏面側（以下「裏面側」という）へ直角に屈曲し、前記保持枠Ｙが構成する保持部Ｓの第一辺を当該迫出し板１の終端位置に位置決めする。
【００２６】
前記第一仕切板２は、前記迫出し板１に続いて方形状に延設されその延出長が組み立て後に対向する側板（前記正面板１２又は前記背面板１４）の幅と等しく設定されている。
当該第一仕切板２は、前記迫出し板１との境界で裏面側へ直角に屈曲した前記保持部Ｓの第一辺を構成する。
また、当該第一仕切板２は、前記貫入部１２ａに面し、且つ当該貫入部１２ａに最も近い仕切として存在しているため、前記保持部Ｓに保持されたバイアル瓶の蓋の前面を覆う高さを有する方形状とされている。
【００２７】
前記戻り板３は、前記第一仕切板２に続いて方形状に延設され、その延出長が前記保持部Ｓの奥行きと等しく設定されており、且つ前記保持部Ｓの第二辺の上縁を第一辺の上縁より下位（例えば収容されたバイアル瓶の首部程度）に位置させるべく、当該戻り板３の上縁に先方へ向かって下がる傾斜が与えられている。
当該戻り板３は、前記第一仕切板２との境界で裏面側へ直角に屈曲し、前記保持部Ｓの第一辺と向合する第二辺を当該戻り板３の終端位置に位置決めする。
【００２８】
前記第二仕切板４は、前記戻り板３に続いて延設され、その延出長が組み立て後における前記戻り板３からの前記保持部Ｓの振れ幅（離隔長）に設定されている。
この例では、前記四側板に囲まれた内空部の左端から前記保持部Ｓの右縁に至る幅を有し、且つバイアル瓶の頭部を捕捉しやすい様に、前記第一仕切部２の高さに比べて当該バイアル瓶の頭部が露出する程度に低くされた方形状とされている。
当該第二仕切板４は、当該戻り板３との境界で裏面側へ直角に屈曲し、前記保持部Ｓの第二辺を構成すると共に、前記保持部Ｓの第三辺を当該第二仕切板４の終端位置に位置決めする。
【００２９】
この例の前記第三仕切板５は、前記第二仕切板４に続いて方形状に延設され、前記戻り板３と同じ幅に設定され、その延出長が前記保持部Ｓの奥行きと等しく設定され、且つ前記第二仕切板４と同じ高さを有する。
当該第三仕切板５は、当該第二仕切板４との境界で裏面側へ直角に屈曲し前記保持部Ｓの第三辺を構成する。
【００３０】
この例の前記第一固定板６は、前記第三仕切板５に続いて延設され、前記第三仕切板５と同じ高さを有し、且つ前記保持部Ｓの第三辺（この例では第三仕切板５）の位置から前記内空部の略右端に至る幅を有する方形状とされている。
当該第一固定板６は、当該第三仕切板５との境界で当該ブランクシートの表面側（以下「表面側」という）へ直角に屈曲し、前記第一仕切板２に定着する（この例では、前記第一仕切板２の裏面に裏面合わせで定着された第二固定板７の表面に定着する）。
【００３１】
前記主枠部Ｂ１は、上記構成の他、前記第三仕切板５の上方又は下方のいずれかに並べて、前記第二仕切板４に前記第一仕切板２と同じ幅（前記正面板１２及び前記背面板１４と同じ幅、以下「箱幅」と記す）を与えたことに伴う当該第二仕切板４の延出部を並設すると共に、前記戻り板３との境界から前記箱幅を隔てた当該第二仕切板４の端縁から、前記迫出し板１の裏面に定着する第五固定板２６を延設する
構成を採ることができる（第二のブランクシート）。
この例では、前記第二仕切板４の側端側の上部又は下部を切込ηで分離し、そのいずれか一方（この例では上部）を箱幅部４ａとし、他方を振れ幅部４ｂとする。
前記箱幅部４ａは、その側端から前記第五固定板２６に連続し、前記振れ幅部４ｂは、その側端から、前記第三仕切板５及び前記第一固定板６を連続して設ける。
【００３２】
前記副枠部Ｂ２は、前記第一仕切板２の縁部に続いて当該第一仕切板２に並べて延設された前記第二固定板７と、前記第二固定板７の延長線上の前記戻り板３の側方に配置された第三固定板１０と、前記第二固定板７と前記第三固定板１０の間に前記保持部Ｓの奥行きと等しい長さで前記第一仕切板２に並べて平行に架設された方形状の第四支持板８及び底支持部９を備える。
前記第四支持板８及び底支持部９は、前記第二固定板７との境界で表面側へ直角に屈曲し前記保持部Ｓの第四辺及び底を構成する。
【００３３】
この例の前記副枠部Ｂ２は、前記第一仕切板２との境界及びその延長線に沿って前記第一仕切板２に沿った前記境界の前記迫出し板１寄りの半分を残した開放切込βを備えると共に、当該開放切込βと共に前記底支持板９を挟み、且つ前記保持部Ｓの奥行き長に当該保持部Ｓの半幅長を加えた長さにわたって、前記第四仕切板８及び前記第二固定板７と前記第三固定板１０及び前記底支持板９を分割する閉鎖切込γを前記開放切込βと平行に備える。
【００３４】
前記底支持板９は、前記第四仕切板８に対して前記保持部Ｓの幅未満の範囲で前記箱部Ａ寄りにずれた配置となっている。
この例の前記副枠部Ｂ２に含まれる前記底支持板９は、前記開放切込βの基端を起点とし、前記第四仕切板８は、前記底支持板９の起点から前記開放切込βの開放方向へ前記保持部Ｓの半幅長隔てた位置を起点とする。
その結果、前記底支持部９は、組み立て後の前記箱本体Ｘにおいて、前記保持部Ｓの幅方向中央を前後に架設されることになる。
【００３５】
当該第二固定板７は、前記第一仕切板２の裏面側に折重ねられ前記保持部Ｓの第三辺と向合する前記保持部Ｓの第四辺を当該保持部Ｓ所定の左縁に位置決めし、且つ前記保持部Ｓの底支持板９を前記保持部Ｓの幅方向の下方中央部に位置決めする。
【００３６】
この例の前記副枠部Ｂ２は、その延出長（高さ）が組み立て後における前記第一仕切板２の下縁からの前記保持部Ｓ所定の配置高に合わせて設定されている。
前記第二固定板７は、前記第一仕切板２の下縁略左（迫出し板１側）半分から、前記底支持板９の高さと等しい長さ延出し、且つ当該下縁左半分に等しい幅を当該延出長全域にわたって備える底支持部７ａと、当該底支持部７ａに続いて前記開放切込β側へ前記保持部Ｓの半幅分迫出した幅を備える側支持部７ｂを有する。
この様に、前記第二固定板７は、第一仕切板２の下縁略左（迫出し板１側）半分に等しい幅を有する前記底支持部７ａと、前記前記下縁左半分の幅に前記保持部Ｓの幅の半分を加えた幅で延出する側支持部７ｂを備えることにより、前記戻り板３側の下隅が前記底支持板９と同じ高さを有する方形状で切欠した方形状となる。
【００３７】
前記第三固定板１０は、前記第四仕切板８及び前記底支持板９に続いて延設され当該第四仕切板８及び前記底支持板９との境界で裏面側へ直角に屈曲し前記第二仕切板４に定着する部分である。
前記第三固定板１０は、前記底支持板９に続く底支持部１０ａとして前記戻り板３の幅に前記保持部Ｓの幅の半分を加えた定着幅を備え、前記第四仕切板８に続く側支持部１０ｂとして前記戻り板３の幅と等しい定着幅を備える。
この様に、前記底支持部１０ａと前記側支持部１０ｂの連結による段状の縁を備えることにより、前記第一仕切板２に沿う前記迫出し板１側の隅が前記底支持板９と同じ高さで方形状に突出した段状となる。
この様な前記第二固定板７と前記第三固定板１０の構成によって、前記第二固定板７の段状の縁と当該第三固定板１０の段状の縁とは相互に互い違いとなる。
【実施例１】
【００３８】
図９に示す例は、機械作業により自動的に組み立てる際に有効な構成を有するブランクシートの一例である。
この例は、前記四側面で仕切られる箱本体Ｘの上開口部を封じるために、前記背面板１４の上端縁より天板を構成する蓋板１５を延設する。
前記蓋板１５は、前記箱本体Ｘの開口部に、前記正面板１２に沿って差し入れる差込片１５ａを、当該蓋板１５の先端縁に沿って備える。
前記差込片１５ａは、当該箱本体Ｘの上開口部への差し入れを容易にすべく、前記差込片１５ａの先端部を滑らかな先細りに成形することが望ましい。
【００３９】
前記左側板１３及び前記右側板１１は、それぞれ上端縁に続いて左上フラップ１６及び右上フラップ１７を備える。
前記正面板１２、背面板１４、左側板１３及び右側板１１は、それぞれ下端縁に続いて前封鎖板１８、後封鎖板１９、左下フラップ２１及び右下フラップ２０を備える。
前記左側板１３と前記右側板１１の上縁又は下縁から延出する各フラップ１６，１７，２１，２０は、各々台形状であり、各フラップ１６，１７，２１，２０の長さは、前記背面板１４及び前記正面板１２の幅に対して、各々略半分未満とする。
また、この例では、前記背面板１４は、解体時において指を差し入れて前記底板ごと分断する便宜を図るべく、その下端部を弓状に分断する解体破断線δを備える。
【００４０】
この例のブランクシートは以上の如く構成され、以下の工程を経て包装用箱に組立てられる。
第一の工程として、前記副枠部Ｂ２を前記第一仕切板２及び戻り板３の裏面側へ折重ねると共に、当該副枠部Ｂ２の第二固定板７を第一仕切板２に貼着する（図４参照）。
この工程をもって、前記第四仕切板８及び前記底支持板９は、前記第一仕切板２の裏面側に固定されることなく重なり合い、前記第三固定板１０は、前記戻り板３の裏面側に固定されることなく重なり合う。
【００４１】
第二の工程として、前記第二仕切板４、前記第三仕切板５及び前記第一固定板６を、前記第一仕切板２及び前記戻り板３の裏面側に折重ねられた前記副枠部Ｂ２（第二固定板７、前記第四仕切板８及び底支持板９並びに第三固定板１０）上に、前記戻り板３と前記第二仕切板４との境界で折重ねると共に、前記第二固定板７の表面と前記第一固定板６の裏面とを貼着し、前記第三固定板１０の表面と前記第二仕切板４の裏面とを貼着する（図５参照）。
この工程をもって、前記第三仕切板５は、前記第四仕切板８、前記底支持板９及び前記第二固定板７の表面に固定されることなく重なり合う。
【００４２】
第三の工程として、上記二工程を経て重ね合わされた全ての構成要素を、前記迫出し板１との境界で当該迫出し板１及び前記背面板１４の裏面側に折重ねる（図６参照）。
第四の工程として、上記三工程を経て重ね合わされた全ての構成要素を、前記左側板１１と前記背面板１４との境界で、前記左側板１３及び前記正面板１２の裏面側へ折重ねると共に、前記戻り板３の表面を前記左側板１３の裏面に貼着する（図７参照）。
第五の工程として、前記右側板１１を、当該右側板１１と前記正面板１２との境界で前記迫出し板１の表面側に折重ねると共に、折り重なった前記迫出し板１と前記右側板１１の両者を貼着する（図８参照）。
【００４３】
以上の工程を経たブランクシート（以下「仕掛けシート」という）に対し、第六の工程として、前記四側板の隣接する二側板がそれぞれ直角を為すように前記箱部Ａを立体化し、箱本体Ｘを形作る（図３参照）。
同時に、この工程をもって前記枠部Ｂも立体化し、前記四側板で囲まれた内空部の中央部に、六面方向の緩衝空間Ｃに挟まれた保持部Ｓを形作ると共に、前記第一仕切板２により開封部に面する汚染防護壁を形作る。
【００４４】
第七の工程として、前記箱本体Ｘの底を封じるべく、前記左下フラップ２１及び右下フラップ２０を当該箱本体Ｘの下開口部へ向けて略９０度折り入れ、後封鎖板１９を前記左下フラップ２１及び右下フラップ２０上に折重ね、前記前封鎖板１８を当該後封鎖板１９の表面に貼着し、上開口部を封鎖する前の包装用箱を完成する（図１又は図２参照）。
上記工程を経た前記包装用箱の保持部Ｓに内容物Ｇたる前記バイアル瓶を装填する装填工程を行う。
【００４５】
上記装填工程を経て、前記右上フラップ１７及び前記左上フラップ１６を前記箱本体Ｘの上開口部へ向けて略直角に折曲げ、当該左右フラップ１６，１７上に前記蓋板１５を折重ね、その差込片１５ａを前記正面板１２に沿って差し入れ、当該差込片１５ａの表面を前記正面板１２の裏面に貼着する封鎖工程を行う。
【実施例２】
【００４６】
図１０に示す例は、手作業による組み立てに有効な構成を有するブランクシートの一例である。
この例は、前記実施例１と同様に、前記四側面で仕切られる箱本体Ｘの上開口部を封じるために、前記背面板１４の上端縁より天板を構成する蓋板１５を備えると共に、前記左側板１３及び前記右側板１１の上端縁に続いてそれぞれ左上フラップ１６及び右上フラップ１７を備える。
前記蓋板１５は、前記箱本体Ｘの上開口部に、前記正面板１２に沿って差し入れる差込片１５ａを、当該蓋板１５の先端縁に沿って備える。
【００４７】
一方、この実施例２は、前記四側板で仕切られる箱本体Ｘの下開口部を封じるために、前記正面板１２及び背面板１４それぞれの下端縁に沿って前記底板を構成する底封鎖板２２，２３を備えると共に、前記左側板１３と前記右側板１１それぞれの下端縁に沿って、下開口部に向けて屈曲する左右下フラップ２４，２５を備える。
【００４８】
前記底封鎖板２２，２３は、その先端部に全幅の半分を境界として差込部２２ａ，２３ａと押え部２２ｂ，２３ｂを備え、前記差込部２２ａ，２３ａは、前記下端縁と平行な先端を備え、前記押え部２２ｂ，２３ｂは、前記正面板１２又は背面板１４の下端縁の一端から４５度の角度で直線的に設定した屈曲線ε，εを備え、前記差込部２２ａ，２３ａと押え部２２ｂ，２３ｂの境界にＶ字状の係り縁ζ，ζを備える。
前記押え部２２ｂ，２３ｂの当該屈曲線εの先端側は、前記左右下フラップ２４，２５の表面に貼着するための糊代となる。
【００４９】
前記正面板１２又は背面板１４の下端縁から前記係り縁ζに至る長さは、前記左側板１３及び前記右側板１１の奥行き（全幅）の半分に相当する長さに設定し、前記差込部２２ａ，２３ａの先端及び押え部２２ｂ，２３ｂの先端から前記正面板１２又は背面板１４の下端縁に至る長さは、当該下端縁からそれぞれの前記係り縁ζに至る長さよりも十分長く且つ前記左側板１３及び前記右側板１１の全幅（包装用箱の奥行き）未満とする。
また、前記係り縁ζは、前記差込部２２ａ，２３ａと押え部２２ｂ，２３ｂの境界上にあって、且つ前記下端縁から前記左右側板１３，１１の幅の半分の距離の位置（組み立て後において下開口部の中央となる位置）を頂点とする。
【００５０】
前記左側板１３と前記右側板１１の下縁から延出する左右下フラップ２４，２５は、各々台形に近い三角形状である。
前記左右下フラップ２４，２５は、前記正面板１２及び前記背面板１４の幅に対して、各々略半分未満の長さとする。
【００５１】
この例のブランクシートは以上の如く構成され、以下の工程を経て包装用箱に組立てられる。
ブランクシートの状態で、前記正面板１２及び前記背面板１４について下端縁の左右同じ側に前記差込部２２ａ，２３ａ又は押え部２２ｂ，２３ｂを配置することによって、組み立てた際に、双方の差込部２２ａ，２３ａ及び押え部２２ｂ，２３ｂは相互に食い違う状態で嵌り合うこととなる。
【００５２】
即ち、前記実施例１の第一の工程から第六の工程を経た後に、第七の工程として、前記箱本体Ｘの底を封じるべく、前記左下フラップ２４及び右下フラップ２５を当該箱本体Ｘの下開口部へ向けて略９０度折り入れ、後封鎖板２３を前記左下フラップ２４上に折重ねつつ右下フラップ２５の裏側へ当該後封鎖板２３の差込部２３ａを挿入すると共に、前記後封鎖板２３の糊代のみを前記左下フラップ２４の表面に貼着する作業と、前封鎖板２２を前記右下フラップ２５上に折重ねつつ左下フラップ２４の裏側へ当該前封鎖板２２の差込部２２ａを挿入すると共に、前記前封鎖板２２の糊代のみを前記右下フラップ２５の表面に貼着する作業を行い上開口部封鎖前の包装用箱を完成する（図１１又は図１２参照）。
【００５３】
更に、前記背面板１４と左側板２４との境界及び前記正面板１２と右側板１１との境界で、前記前封鎖板２２、後封鎖板２３及び左右下フラップ２４，２５を前記下開口部へ押し入れつつ前記箱本体Ｘ及び前記枠部Ｂを扁平化する工程を行う。
この例は、これらの工程をもって、手作業前の扁平材となり、輸送に嵩張ることも無く、前記四側板の隣接する二側板がそれぞれ直角を為すように立体化する第六の工程を再び行うことによって、前後底封鎖板２２，２３それぞれの前記差込部２２ａ，２３ａはそれぞれの相手方底封鎖板２３，２２の押え部２３ｂ，２２ｂに対して互い違いに掛かり合い、前記底板が閉じた箱本体Ｘが再び形作られる（図３参照）。
以降、前記実施例１と同様の装填工程、封鎖工程を経て、内容物を収納した包装用箱が完成する。
上記実施例２を用い、以上の工程に経れば、内容物並びに包装用箱の内部及び保持枠Ｙに作業員が触れる作業を、極力回避することができる。
【００５４】
前記第二のブランクシート（図１４参照）を用いた場合には、前記第一のブランクシートを用いた場合と同様に前記第一の工程（図１５参照）及び第二の工程（図１６参照）を経た後に、前記第三の工程において、上記二工程を経て重ね合わされた全ての構成要素を、前記迫出し板１との境界で当該迫出し板１及び前記背面板１４の裏面側に折重ねると共に、前記第五固定板２６の表面を前記迫出し板１の裏面に貼着する（図１７参照）。
続いて前記第一のブランクシートと同様に第四の工程乃至第七の工程を経て上開口部を封鎖する前の包装用箱を完成し、装填工程及び封鎖工程を経て製品を内包した包装用箱となる。
【００５５】
前記第二のブランクシートを用いれば、前記第六の工程において、前記第五固定板２６が前記迫出し板１に引かれて前記第二仕切板４を確実に引き起こし、前記保持部Ｓの立体化が効率的に行われることとなる。
【００５６】
＜開封及び再封＞
上記の如く組み立てられた実施例１及び実施例２の包装用箱は、前記正面板の開封破断線αを破断し、前記差込片１５ａを当該開封破断線αに囲まれた貫入部１２ａと共に引き剥がすことによって開封し（図２及び図１２参照）、前記差込片１５ａの先端部を前記正面板１２の裏側に差し入れることによって再封するが、天板は、上記差込片１５ａを有する蓋板１５を備えた構成に限定されるものではなく、例えば、前記実施例１の底板と同様の構成を採るなど、適宜設計変更することもできる。
また、各構成要素の形態にあっても、内容物の形態や寸法に応じて適宜変更することができる。
【符号の説明】
【００５７】
α  開封破断線，
β  開放切込，γ  閉鎖切込，δ  解体破断線,
ε  屈曲線，ζ  係り縁，η  切込，
Ａ  箱部，Ｂ  枠部，Ｂ１  主枠部，Ｂ２  副枠部，
Ｃ  緩衝空間，Ｇ  内容物，
Ｘ  箱本体，Ｙ  保持枠，Ｓ  保持部， 
１  迫出し板，２  第一仕切板，３  戻り板，
４  第二仕切板，５  第三仕切板，６  第一固定板，
７  第二固定板，７ａ  底支持部，７ｂ  側支持部，
８  第四仕切板，９  底支持板，
１０  第三固定板，１０ａ  底支持部，１０ｂ  側支持部，
１１  右側板，
１２  正面板，１２ａ  貫入部，
１３  左側板，１４  背面板，
１５  蓋板，１５ａ  差込片，
１６  左上フラップ，１７  右上フラップ，
１８  前封鎖板，１９  後封鎖板，２０  右下フラップ，２１  左下フラップ，
２２  底封鎖板，２２ａ  差込部，２２ｂ  押え部，
２３  底封鎖板，２３ａ  差込部，２３ｂ  押え部，
２４  左下フラップ，２５  右下フラップ，
２６  第五固定板，
【図１】
0006667348.tif 000002
【図２】
0006667348.tif 000003
【図３】
0006667348.tif 000004
【図４】
0006667348.tif 000005
【図５】
0006667348.tif 000006
【図６】
0006667348.tif 000007
【図７】
0006667348.tif 000008
【図８】
0006667348.tif 000009
【図９】
0006667348.tif 000010
【図１０】
0006667348.tif 000011
【図１１】
0006667348.tif 000012
【図１２】
0006667348.tif 000013
【図１３】
0006667348.tif 000014
【図１４】
0006667348.tif 000015
【図１５】
0006667348.tif 000016
【図１６】
0006667348.tif 000017
【図１７】
0006667348.tif 000018
【図１８】
0006667348.tif 000019
【図１９】
0006667348.tif 000020